(57)【特許請求の範囲】
【請求項１】
筐体の内部に、画像表示パネルを収容する第１の収容室が形成されると共に、該第１の収容室の背面側には、前記画像表示パネルの動作を制御する回路基板を収容する第２の収容室が形成されている画像表示装置において、
前記第１の収容室と前記第２の収容室はそれぞれ防水構造を有し、
第１の収容室には冷却装置が連結され、
第２の収容室の背面壁には、該背面壁の第１の開口を通じて第２の収容室の外から内への送風を行う第１送風装置が配備されると共に、該背面壁の第２の開口を通じて第２の収容室の内から外への送風を行う第２送風装置が配備され、
前記第１送風装置及び第２送風装置はそれぞれ、前記第１及び第２の開口からの水の浸入を阻止する防水性のフィルタを具え、
前記第２の収容室を形成する背面壁の背面には、前記第１送風装置及び第２送風装置を覆うカバー部材が取り付けられ、該カバー部材には、第１送風装置及び第２送風装置と対向する位置又はその近傍位置に、複数の通気孔が設けられていることを特徴とする画像表示装置。
【発明の詳細な説明】
【技術分野】
【０００１】
本発明は、画像表示パネルを具えた画像表示装置に関する。
【背景技術】
【０００２】
従来の画像表示装置は、その殆どが屋内に設置することを前提として設計されたものであり（例えば特許文献１参照）、該画像表示装置には、画像表示パネル等の画像表示部や画像表示部の動作を制御する回路基板等を風雨やダスト等から保護する対策が施されていなかった。このため、従来の画像表示装置は、屋外に常設することが困難であった。
【０００３】
近年、平面型の画像表示パネルを具えた画像表示装置を屋外に常設することが望まれている。その理由として、該画像表示装置はその厚さ寸法が小さいこと等が挙げられる。厚さ寸法が小さいと、狭い場所への画像表示装置の設置が可能となる。
【先行技術文献】
【特許文献】
【０００４】
【特許文献１】特開２００５−２８６９８７号公報
【発明の概要】
【発明が解決しようとする課題】
【０００５】
上記画像表示装置の屋外への常設を可能にするべく、筐体の内部に、防水構造を有する収容室を形成し、該収容室に画像表示パネルと回路基板とを収容することが考えられる。
【０００６】
しかしながら、画像表示パネルと回路基板とを同じ１つの収容室に収容すると、画像表示パネルと回路基板とから生じる熱により、収容室内の温度が上昇し易くなる。このため、画像表示パネルの温度が上昇して該画像表示パネルの機能が低下し、その結果、画像表示が不能になる虞がある。又、回路基板の温度が上昇して該回路基板が破損する虞がある。
【０００７】
これに対し、収容室の外部に回路基板を配備した画像表示装置、例えば収容室を形成する背面壁の背面側に回路基板を配備した画像表示装置によれば、収容室内で発生する熱量が、回路基板から生じる熱量の分だけ削減されるので、収容室内の温度上昇が抑制されることになる。しかし、この構成においては、防水構造を有する収容室の外部に回路基板が配置されるため、画像表示装置を屋外に常設した場合、回路基板が風雨やダスト等に晒されて回路基板が破損する虞がある。
【０００８】
そこで本発明の目的は、画像表示パネルの動作を制御する回路基板を冷却することが可能であって、且つ、該回路基板が破損し難い画像表示装置を提供することである。
【課題を解決するための手段】
【０００９】
本発明に係る画像表示装置は、画像表示パネルを収容する第１の収容室と、前記画像表示パネルの動作を制御する回路基板を収容する第２の収容室と、防水性のフィルタを具えたファンとを具え、前記ファンは、前記第２の収容室の背面側に形成された開口位置に配備されている。
【００１０】
上記画像表示装置においては、前記開口からの水の浸入が、ファンが具えるフィルタにより阻止され、これにより、第２の収容室が有する防水構造は維持されている。そして、この第２の収容室に回路基板が収容されるので、回路基板は外気に接し難い。よって、画像表示装置が屋外に設置された場合でも、回路基板は風雨やダスト等から保護されることになる。
【００１１】
一方、防水構造を有する第２の収容室内には、回路基板から生じる熱が溜まり易く、従って、第２の収容室内の温度は上昇し易い。ここで、上記画像表示装置においては、ファンの動作により、第２の収容室内に外部の空気が吸入され、或いは第２の収容室内の空気が外部に排出されるので、第２の収容室内の熱は空気を媒体として第２収容室の外部に発散されることになる。よって、第２の収容室内の温度の上昇が抑制され、その結果、熱による回路基板の破損が防止されることになる。
【００１２】
上記画像表示装置の具体的構成において、前記ファンは、第１のファンと第２のファンとを含み、第１のファンは、第２の収容室の外から内への送風を行い、第２のファンは、第２の収容室の内から外への送風を行う。
該具体的構成によれば、第１のファンにより第２の収容室内に空気が吸入され、吸入された空気は、第２のファンにより外部に排出されることになる。よって、第２の収容室内の熱は、空気を媒体として第２の収容室の外部に発散されることになる。
【００１３】
上記画像表示装置の他の具体的構成において、前記第２の収容室を形成する背面壁の背面には、前記ファンを覆うカバー部材が取り付けられる一方、該カバー部材には、前記ファンと対向する位置又はその近傍位置に通気孔が設けられている。
【００１４】
上記具体的構成によれば、ファンがカバー部材により覆われているので、画像表示装置が屋外に設置された場合でも、ファンが具える防水性のフィルタは風雨やダスト等に晒され難い。従って、フィルタは劣化し難く、フィルタの防水性能が長期に亘り維持されることになる。
又、カバー部材には通気孔が設けられているので、ファンが有する送風機能、即ち第２の収容室内に外部の空気を吸入し、或いは第２の収容室内の空気を外部に排出する機能が、カバー部材によって阻害されることがない。
【発明の効果】
【００１５】
本発明に係る画像表示装置は、画像表示パネルの動作を制御する回路基板を冷却することが可能であって、且つ、該回路基板が破損し難い。
【図面の簡単な説明】
【００１６】
【図１】図１は、本発明の一実施形態に係る画像表示装置を前面側から見た斜視図である。
【図２】図２は、上記画像表示装置の鉛直断面図である。
【図３】図３は、上記画像表示装置が具える送風装置の制御に関する構成を示すブロック図である。
【発明を実施するための形態】
【００１７】
以下、本発明の実施の形態につき、図面に沿って具体的に説明する。
図１に示す様に、本発明の一実施形態に係る画像表示装置は、筐体(１)と、筐体(１)内に配備されている液晶表示パネル(２)と、筐体(１)を支持するキャスタ付き支持台(３)と、冷却装置(４)とを具えている。液晶表示パネル(２)は、画像表示用の光源として発光ダイオード（ＬＥＤ）を有している。
【００１８】
図２に示す様に、筐体(１)の内部には、防水構造を有する収容室(５)と、防水構造を有する第２の収容室(６)とが形成されている。収容室(５)を形成する前面壁(51)は、筐体(１)を構成する前面壁(11)により構成されており、該前面壁(11)は、光透過性を有する材質、例えばガラス材から形成されている。一方、収容室(５)を形成する上面壁、下面壁、両側面壁及び背面壁は、アルミニウム等の金属から形成されている。
【００１９】
収容室(５)には、液晶表示パネル(２)が、その画面(21)を筐体(１)の前面壁(11)（収容室(５)を形成する前面壁(51)）に向けて収容されている。斯くして、筐体(１)の前面壁(11)の内、液晶表示パネル(２)の画面(21)と対向する部分により、筐体(１)の外部からの画面(21)の視認を可能にする画像表示窓が構成されている。
【００２０】
第２の収容室(６)は、収容室(５)を形成する背面壁(52)の背面側に配備されている。ここで、第２の収容室(６)を形成する前面壁(61)は、収容室(５)を形成する背面壁(52)により構成されている。第２の収容室(６)を形成する上面壁、下面壁、両側面壁及び背面壁は、アルミニウム等の金属から形成されている。
【００２１】
第２の収容室(６)を形成する背面壁(62)には上下一対の開口(63)(64)が形成され、上側の開口(63)には第１送風装置(71)が嵌合され、下側の開口(64)には第２送風装置(72)が嵌合されている。第１送風装置(71)は、第２の収容室(６)内の空気を上側の開口(63)から外部へ排出し、第２送風装置(72)は、外部の空気を下側の開口(64)から第２の収容室(６)内へ吸入する。従って、図２において一点鎖線矢印によって示す様に、下側の開口(64)から第２の収容室(６)内に吸入された空気は、第２の収容室(６)を通過して上側の開口(63)から外部に排出されることになる。よって、第２の収容室(６)内の熱は、空気を媒体として第２の収容室(６)の外部に発散されることになる。
【００２２】
第１送風装置(71)及び第２送風装置(72)にはそれぞれ防水性のフィルタ(73)(73)が具えられている。従って、第１及び第２送風装置(71)(72)が嵌合されている一対の開口(63)(64)からの水の浸入が、第１及び第２送風装置(71)(72)が具えるフィルタ(73)(73)により阻止され、これにより、第２の収容室(６)が有する防水構造は維持されている。
【００２３】
第２の収容室(６)には、液晶表示パネル(２)の動作を制御する回路基板(22)が収容されており、該回路基板(22)は、第２の収容室(６)を形成する前面壁(61)（収容室(５)を形成する背面壁(52)）の背面に取り付けられている。
【００２４】
第２の収容室(６)を形成する背面壁(62)の背面には、第１及び第２送風装置(71)(72)を覆うカバー部材(８)が取り付けられている。カバー部材(８)には、第１及び第２送風装置(71)(72)と対向する位置又はその近傍位置に複数の通気孔(81)〜(81)が設けられている。
【００２５】
第１及び第２送風装置(71)(72)をカバー部材(８)によって覆うことにより、画像表示装置が屋外に設置された場合でも、第１及び第２送風装置(71)(72)が具える防水性のフィルタ(73)(73)は風雨やダスト等に晒され難くなる。従って、フィルタ(73)(73)は劣化し難く、フィルタ(73)(73)の防水性能が長期に亘り維持されることになる。
【００２６】
又、カバー部材(８)に複数の通気孔(81)〜(81)を設けることにより、第１送風装置(71)が有する送風機能、即ち第２の収容室(６)内の空気を外部に排出する機能が、カバー部材(８)によって阻害されることがなく、又、第２送風装置(72)が有する送風機構、即ち外部の空気を第２の収容室(６)内に吸入する機能が、カバー部材(８)によって阻害されることがない。
【００２７】
冷却装置(４)は、収容室(５)内の熱を回収する装置であり、収容室(５)の下方位置に配備されると共に収容室(５)に連結されている。具体的には、冷却装置(４)は、収容室(５)内の熱を回収する蒸発器と、該蒸発器により回収された熱を収容室(５)の外部に排出する凝縮器とを具え、蒸発器と凝縮器とは、冷媒が流れる配管によって互いに連結されている。
又、冷却装置(４)は、蒸発器から凝縮器へ流れる冷媒を圧縮する圧縮機を具えている。従って、凝縮器には高温且つ高圧の冷媒が流れ込むことになる。よって、蒸発器によって回収された熱は、凝縮器により効率良く排出される。
【００２８】
図３に示す様に、上記画像表示装置は更に、温度センサ(23)と制御部(24)とを具えている。温度センサ(23)は、第２の収容室(６)内の温度に応じて変化する温度情報を出力するセンサである。制御部(24)は、温度センサ(23)から出力される温度情報に基づいて、第１及び第２送風装置(71)(72)の送風動作を制御する。
【００２９】
制御部(24)には、判断手段(241)と送風制御手段(242)とが含まれている。判断手段(241)は、温度センサ(23)から出力される温度情報に基づいて、第２の収容室(６)内の温度が所定の温度より高いか否かを判断する。送風制御手段(242)は、判断手段(241)により第２の収容室(６)内の温度が所定の温度より高いと判断されたとき、第１及び第２送風装置(71)(72)に送風動作を実行させる一方、判断手段(241)により第２の収容室(６)内の温度が所定の温度より高くないと判断されたとき、第１及び第２送風装置(71)(72)に送風動作を停止させる。
ここで、判断手段(241)の判断の基準となる所定の温度には、回路基板(22)に破損が生じ始めるときの第２の収容室(６)内の温度より低い温度が用いられる。
【００３０】
上記画像表示装置においては、防水構造を有する収容室(５)に液晶表示パネル(２)が収容され、防水構造を有する第２の収容室(６)に回路基板(22)が収容されている。従って、液晶表示パネル(２)及び回路基板(22)は外気に接し難い。よって、画像表示装置が屋外に設置された場合でも、液晶表示パネル(２)及び回路基板(22)は風雨やダスト等から保護されることになる。
【００３１】
一方、防水構造を有する収容室(５)内には、液晶表示パネル(２)から生じる熱が溜まり易く、従って、収容室(５)内の温度は上昇し易い。ここで、上記画像表示装置には冷却装置(４)が設けられており、収容室(５)内の熱は冷却装置(４)により回収される。よって、収容室(５)内の温度上昇が抑制され、その結果、液晶表示パネル(２)の温度上昇が抑制されて、液晶表示パネル(２)の機能は正常な状態に維持される。
【００３２】
又、防水構造を有する第２の収容室(６)内には、回路基板(22)から生じる熱が溜まり易く、従って、第２の収容室(６)内の温度は上昇し易い。ここで、上記画像表示装置においては、第２の収容室(６)内の温度が所定の温度より高くなると、第１及び第２送風装置(71)(72)の送風動作が実行されて、第２の収容室(６)内の熱が第２の収容室(６)の外部に発散される。よって、第２の収容室(６)内の温度の上昇が抑制されて、第２の収容室(６)内の温度は所定の温度以下に維持されることになる。その結果、熱による回路基板(22)の破損が防止されることになる。
【００３３】
更に、第１及び第２送風装置(71)(72)の送風動作により第２の収容室(６)内の温度が所定の温度より低くなると、第１及び第２送風装置(71)(72)の送風動作が停止される。従って、上記画像表示装置によれば、第１及び第２送風装置(71)(72)の送風動作が第２の収容室(６)の温度の高低に拘わらず継続して実行される画像表示装置と比べて、消費電力が少なくて済む。
【００３４】
上記画像表示装置において、冷却装置(４)は、液晶表示パネル(２)の冷却と回路基板(22)の冷却とに兼用されてもよい。例えば、冷却装置(４)を用いて、第２の収容室(６)内の回路基板(22)を該第２の収容室(６)の下方から冷却する構成が考えられる。又、冷却装置(４)により回路基板(22)を冷却するべく、回路基板(22)を収容室(５)内に配備した構成が考えられる。
【００３５】
しかし、上記画像表示装置の如く、液晶表示パネル(２)の画像表示用の光源として、ランプ（例えば、ＣＣＦＬや超高圧水銀ランプ）に替えてＬＥＤが用いられている場合、冷却装置(４)により、液晶表示パネル(２)の液晶シャッタや偏光板等を冷却するのみならず、光源であるＬＥＤをも冷却する必要がある。よって、上記画像表示装置では、冷却装置(４)によって液晶表示パネル(２)のみを冷却し、冷却装置(４)とは別の冷却手段により回路基板(22)を冷却する構成が採用されている。
【００３６】
尚、本発明の各部構成は上記実施形態に限らず、特許請求の範囲に記載の技術的範囲内で種々の変形が可能である。
上記実施形態においては、第２の収容室(６)を形成する前面壁(61)が、収容室(５)を形成する背面壁(52)によって構成されているが、本発明はこれに限られるものではない。第２の収容室(６)を形成する前面壁(61)は、収容室(５)を形成する背面壁(52)とは別の壁面構成部材により構成されていてもよい。この場合、第２の収容室(６)を形成する前面壁(61)は、収容室(５)を形成する背面壁(52)から背面側に離間して配置されてもよい。
【００３７】
上記実施形態において、第１及び第２送風装置(71)(72)の両方が、第２の収容室(６)内の空気を外部に排出するものであってもよい。或いは、第１及び第２送風装置(71)(72)の両方が、外部の空気を第２の収容室(６)内に吸入するものであってもよい。
【００３８】
又、上記実施形態においては、第２の収容室(６)を形成する背面壁(62)に設けられている送風装置の数は２つであるが、本発明はこれに限られるものではない。該背面壁(62)に設ける送風装置の数は、１つであってもよく、或いは、２つ以外の複数であってもよい。
【００３９】
上記実施形態においては、第１及び第２送風装置(71)(72)が具えるフィルタ(73)(73)は防水性を有していたが、更に防塵性を有していてもよい。
【００４０】
又、上記実施形態においては、第２の収容室(６)を形成する背面壁(62)の背面に、第１及び第２送風装置(71)(72)を覆うカバー部材(８)が取り付けられている。しかし、カバー部材(８)がなくても第１及び第２送風装置(71)(72)が具えるフィルタ(73)(73)が風雨やダスト等に晒され難い場合には、上記画像表示装置を、カバー部材(８)がない構成としてもよい。
【００４１】
更に、上記画像表示装置に採用した各種構成は、液晶表示パネル(２)を具えた画像表示装置に限らず、プラズマ表示パネルや有機ＥＬ（Electro-Luminescence）表示パネル等、種々の画像表示パネルを具えた画像表示装置に適用することが出来る。尚、光源はＬＥＤ以外のランプ等であってもよい。
【符号の説明】
【００４２】
(１)  筐体
(２)  液晶表示パネル（画像表示パネル）
(21)  画面
(22)  回路基板
(５)  収容室
(51)  収容室を形成する前面壁
(52)  収容室を形成する背面壁
(６)  第２の収容室
(61)  第２の収容室を形成する前面壁
(62)  第２の収容室を形成する背面壁
(63)  上側の開口
(64)  下側の開口
(71)  第１送風装置（第１のファン）
(72)  第２送風装置（第２のファン）
(73)  フィルタ
(８)  カバー部材
(81)  通気孔
【図１】
0005420350.tif 000002
【図２】
0005420350.tif 000003
【図３】
0005420350.tif 000004